(57)【要約】【課題】ロバスト消去検出および消去率に基づく閉ループパワー制御。【解決手段】エラー検出符号化無しの伝送のための消去検出およびパワー制御を行なう技術が説明されている。消去検出については、送信機が無線チャネル経由コードワードを送信する。受信機は、各受信コードワードのメトリックを計算し、計算されたメトリックを消去閾値と比較し、そして受信コードワードが「消去されている」のか「消去されていない」のかを宣言する。受信機は、パフォーマンスの目標レベルを達成するために受信された既知コードワードに基づき消去閾値を動的に調整する。パワー制御については、内側ループが、受信信号品質（ＳＮＲ）を目標ＳＮＲに維持するために送信パワーを調整する。外側ループは、目標消去率を達成するために、受信コードワードのステータス（消去されている、あるいは消去されていない）に基づき目標ＳＮＲを調整する。第３のループは、目標の条件付きエラー率を達成するために、受信された既知コードワード（「良い」、「悪い」、あるいは消去されている）のステータスに基づき消去閾値を調整する。【選択図】      図２
2008503924.tif 000002
【特許請求の範囲】
【請求項１】
通信において消去検出を行なう方法であって、
無線チャネル経由で送信されたコードワードのための受信コードワードを得ることと、なお、各送信されたコードワードは符号化されたあるいは符号化されていないデータのブロックであり、そして、各受信コードワードは送信されたコードワードのノイズの入ったバージョンである；
前記受信コードワードの各々に対しメトリックを計算することと；
各受信コードワードの前記計算されたメトリックを消去閾値と比較することと；
前記受信コードワードの比較結果に基づき、各受信コードワードを消去されたコードワードあるいは消去されていないコードワードであると宣言することと；そして
消去検出のためのパフォーマンスの目標レベルを達成するために前記消去閾値を動的に調整することと；
を備える方法。
【請求項２】
前記無線チャネル経由で送信された既知コードワードのための受信既知コードワードを得ることと、なお、各既知コードワードは既知データのブロックであり、そして、各受信既知コードワードは送信された既知コードワードのノイズの入ったバージョンである；
前記受信既知コードワードの各々のステータスを、良いコードワード、悪いコードワード、あるいは消去されたコードワードであると決定することと、なお、良いコードワードは、消去されていないコードワードであると宣言され且つ正確に復号された受信既知コードワードであり、そして悪いコードワードは、消去されていないコードワードであると宣言されたが誤って復号された受信既知コードワードである；そして
各受信既知コードワードの前記ステータスに基づき前記消去閾値を動的に調整することと；
を更に備える、請求項１記載の方法。
【請求項３】
前記既知コードワードは、既知の時に１以上の送信構成要素によって送信される、請求項２記載の方法。
【請求項４】
前記既知コードワードは、指示された時に１以上の送信構成要素によって送信される、請求項２記載の方法。
【請求項５】
消去されていないコードワードは、正確に受け取られる特定の信頼度に関連しており、そして、消去されたコードワードは、誤って受け取られる特定の信頼度に関係している、請求項１記載の方法。
【請求項６】
消去検出のためのパフォーマンスの前記目標レベルは、もし消去されていないコードワードであると宣言される場合に受信コードワードが誤って復号される予め決められた確率を示す、目標条件付きエラー率である、請求項１記載の方法。
【請求項７】
各送信されたコードワードは複数の起こり得る有効コードワードのうちの１つであり、前記メトリックは受信コードワードの信頼性を示す機能に基づいている、請求項１記載の方法。
【請求項８】
各受信コードワードの前記メトリックは、最も近い有効コードワードへのユークリッド距離と次に最も近い有効コードワードへのユークリッド距離の比であり、前記最も近い有効コードワードへのユークリッド距離は、前記受信コードワードと前記受信コードワードに最も近い有効コードワードとの間の前記ユークリッド距離であり、そして、前記次に最も近い有効コードワードへのユークリッド距離は、前記受信コードワードと前記受信コードワードに次に最も近い有効コードワードとの間の前記ユークリッド距離である、請求項７記載の方法。
【請求項９】
各送信されたコードワードは、符号化されていないデータのブロックにブロック符号化を行なうことにより得られる符号化データのブロックである、請求項１記載の方法。
【請求項１０】
各送信されたコードワードは、エラー検出符号を含んでいない、請求項１記載の方法。
【請求項１１】
無線通信システムにおいて消去検出を行なう動作が可能な装置であって、
無線チャネル経由で送信されたコードワードのための受信コードワードを取得し、そして、前記受信コードワードの各々に対しメトリックを計算するように作動するメトリック計算ユニットと、なお、各送信されたコードワードは符号化されたあるいは符号化されていないデータのブロックであり、そして、各受信コードワードは送信されたコードワードのノイズの入ったバージョンである；
各受信コードワードの前記計算されたメトリックを消去閾値と比較し、そして、前記受信コードワードの比較結果に基づき、各受信コードワードを消去されたコードワードあるいは消去されていないコードワードであると宣言するように作動する消去検出器と；そして
消去検出のためのパフォーマンスの目標レベルを達成するために前記消去閾値を動的に調整するように作動する調整ユニットと；
を備える装置。
【請求項１２】
前記無線チャネル経由で送信された既知コードワードのための受信既知コードワードを得るように作動し、なお、各既知コードワードは既知データのブロックであり、そして、各受信既知コードワードは送信された既知コードワードのノイズの入ったバージョンである；
消去されていないコードワードであると判断される各受信既知コードワードを復号するように作動し；そして
各受信既知コードワードのステータスを、良いコードワード、悪いコードワード、あるいは消去されたコードワードであると決定するように作動する、なお、良いコードワードは、消去されていないコードワードであると宣言され且つ正確に復号された受信既知コードワードであり、そして悪いコードワードは、消去されていないコードワードであると宣言されたが誤って復号された受信既知コードワードである；
復号器を更に備え、
前記調整ユニットが、各受信既知コードワードの前記ステータスに基づき前記消去閾値を調整するように作動する、
請求項１１記載の装置。
【請求項１３】
無線通信システムにおいて消去検出を行なう動作が可能な装置であって、
無線チャネル経由で送信されたコードワードのための受信コードワードを得るための手段と、なお、各送信されたコードワードは符号化されたあるいは符号化されていないデータのブロックであり、そして、各受信コードワードは送信されたコードワードのノイズの入ったバージョンである；
前記受信コードワードの各々に対しメトリックを計算するための手段と；
各受信コードワードの前記計算されたメトリックを消去閾値と比較するための手段と；
前記受信コードワードの比較結果に基づき、各受信コードワードを消去されたコードワードあるいは消去されていないコードワードであると宣言するための手段と；そして
消去検出のためのパフォーマンスの目標レベルを達成するために前記消去閾値を動的に調整するための手段と；
を備える装置。
【請求項１４】
前記無線チャネル経由で送信された既知コードワードのための受信既知コードワードを得るための手段と、なお、各既知コードワードは既知データのブロックであり、そして、各受信既知コードワードは送信された既知コードワードのノイズの入ったバージョンである；
前記受信既知コードワードの各々のステータスを、良いコードワード、悪いコードワード、あるいは消去されたコードワードであると決定するための手段と、なお、良いコードワードは、消去されていないコードワードであると宣言され且つ正確に復号された受信既知コードワードであり、そして悪いコードワードは、消去されていないコードワードであると宣言されたが誤って復号された受信既知コードワードである；そして
各受信既知コードワードの前記ステータスに基づき前記消去閾値を調整するための手段と；
を更に備える請求項１３記載の装置。
【請求項１５】
無線通信システムにおいて無線チャネル経由で送られる伝送に対しパワー制御を行なう方法であって、
前記伝送において送信されたコードワードのための受信コードワードを得ることと、なお、各送信されたコードワードは符号化されたあるいは符号化されていないデータのブロックであり、そして各受信コードワードは送信されたコードワードのノイズの入ったバージョンである；
前記受信コードワードおよび消去閾値に対し計算されたメトリックに基づき、各受信コードワードのステータスを消去されたコードワードあるいは消去されていないコードワードであると決定することと；
各受信コードワードの前記ステータスに基づき目標信号品質（ＳＮＲ）を調整することと、なおここでは、前記伝送のための送信パワーは前記目標ＳＮＲに基づき調整される；
前記無線チャネル経由で送信された既知コードワードのための受信既知コードワードを得ることと、なお、各既知コードワードは既知データのブロックであり、そして各受信既知コードワードは送信された既知コードワードのノイズの入ったバージョンである；
各受信既知コードワードのステータスを、良いコードワード、悪いコードワード、あるいは消去されたコードワードであると決定することと、なお、良いコードワードは、消去されていないコードワードであると判断され且つ正確に復号された受信既知コードワードであり、そして悪いコードワードは、消去されていないコードワードであると判断されたが誤って復号された受信既知コードワードである；そして
各受信既知コードワードの前記ステータスに基づき前記消去閾値を動的に調整することと；
を備える方法。
【請求項１６】
前記目標ＳＮＲを前記調整することは、
消去されていないコードワードであると判断された各受信コードワードに対しダウンステップによって前記目標ＳＮＲを減らすことと；そして
消去されたコードワードであると判断された各受信コードワードに対しアップステップによって前記目標ＳＮＲを増やすことと；
を含む、請求項１５記載の方法。
【請求項１７】
前記目標ＳＮＲを調整するための前記ダウンステップおよび前記アップステップは、受信コードワードを消去されたコードワードであると宣言する予め決められた確率を示す、目標消去率によって決定される、請求項１６記載の方法。
【請求項１８】
より低い消去閾値は、受信コードワードが消去されたコードワードであると判断される可能性がより高いことに対応し、そして、前記消去閾値を前記調整することは、
悪いコードワードであると判断される各受信既知コードワードに対し、ダウンステップによって前記消去閾値を減少させることと；そして
良いコードワードであると判断される各受信既知コードワードに対し、アップステップによって前記消去閾値を増加させることと；
を含む、請求項１６記載の方法。
【請求項１９】
前記消去閾値を前記調整することは、
消去されたコードワードであると判断される各受信既知コードワードに対し、前記消去閾値を同じレベルに維持すること、
を更に含む、請求項１８記載の方法。
【請求項２０】
前記消去閾値を調整するための前記ダウンステップおよび前記アップステップは、もし消去されていないコードワードであると宣言された場合に受信コードワードが誤って復号される予め決められた確率を示す、目標条件付きエラー率によって決定される、請求項１８記載の方法。
【請求項２１】
前記受信既知コードワードは、複数の異なる送信構成要素から得られる、請求項１５記載の方法。
【請求項２２】
前記伝送に対する受信ＳＮＲを推定することと；
前記受信ＳＮＲを前記目標ＳＮＲと比較することと；そして
前記比較した結果に基づきコマンドを生成することと、なおここでは、前記コマンドは前記伝送のための前記送信パワーを調整するために使用される、
を更に備える、請求項１５記載の方法。
【請求項２３】
無線通信システムにおいて無線チャネル経由で送られる伝送に対しパワー制御を行なう動作が可能な装置であって、
前記伝送において送信されたコードワードのための受信コードワードを得るように作動し、なお、各送信されたコードワードは符号化されたあるいは符号化されていないデータのブロックであり、そして各受信コードワードは送信されたコードワードのノイズの入ったバージョンである、
前記受信コードワードおよび消去閾値に対し計算されたメトリックに基づき、各受信コードワードのステータスを消去されたコードワードあるいは消去されていないコードワードであると決定するように作動し、
前記無線チャネル経由で送信された既知コードワードのための受信既知コードワードを得るように作動し、なお、各既知コードワードは既知データのブロックであり、そして各受信既知コードワードは送信された既知コードワードのノイズの入ったバージョンである、そして
各受信既知コードワードのステータスを、良いコードワード、悪いコードワード、あるいは消去されたコードワードであると決定するように作動する、なお、良いコードワードは、消去されていないコードワードであると判断され且つ正確に復号された受信既知コードワードであり、そして悪いコードワードは、消去されていないコードワードであると判断されたが誤って復号された受信既知コードワードである、
データプロセッサと；そして
各受信コードワードの前記ステータスに基づき目標信号品質（ＳＮＲ）を調整するように作動し、なおここでは、前記伝送のための送信パワーは前記目標ＳＮＲに基づき調整される、そして
各受信既知コードワードの前記ステータスに基づき前記消去閾値を動的に調整するように作動する、
コントローラと、
を備える装置。
【請求項２４】
前記伝送に対する受信ＳＮＲを推定するように作動するＳＮＲ推定器と；そして
前記受信ＳＮＲを前記目標ＳＮＲと比較しそして前記比較した結果に基づき前記伝送のための前記送信パワーを調整するために使用されるコマンドを生成するように作動する生成器と；
を更に備える、請求項２３記載の装置。
【請求項２５】
もし消去されていないコードワードであると宣言された場合に受信コードワードが誤って復号される予め決められた確率を示す、目標条件付きエラー率を達成するために、前記コントローラが前記目標ＳＮＲを調整するように作動する、請求項２３記載の装置。
【請求項２６】
受信コードワードを消去されたコードワードであると宣言する予め決められた確率を示す、目標消去率を達成するために、前記コントローラが、前記目標ＳＮＲを調整するように作動する、請求項２３記載の装置。
【請求項２７】
前記伝送はコントロールチャネル用である請求項２３記載の装置。
【請求項２８】
前記コントロールチャネルは、チャネル品質情報を送るために使用され、そして各送信されたコードワードはチャネル品質インジケータのためのものである、請求項２７記載の装置。
【請求項２９】
前記受信既知コードワードは複数の異なる送信構成要素から取得される、請求項２３記載の装置。
【請求項３０】
基地局において利用される請求項２３記載の装置。
【請求項３１】
無線端末において利用される請求項２３記載の装置。
【請求項３２】
無線通信システムにおいて無線チャネル経由で送られる伝送に対しパワー制御を行なう動作が可能な装置であって、
前記伝送において送信されたコードワードのための受信コードワードを得るための手段と、なお、各送信されたコードワードは符号化されたあるいは符号化されていないデータのブロックであり、そして各受信コードワードは送信されたコードワードのノイズの入ったバージョンである；
前記受信コードワードおよび消去閾値に対し計算されたメトリックに基づき、各受信コードワードのステータスを消去されたコードワードあるいは消去されていないコードワードであると決定するための手段と；
各受信コードワードの前記ステータスに基づき目標信号品質（ＳＮＲ）を調整するための手段と、なおここでは、前記伝送のための送信パワーは前記目標ＳＮＲに基づき調整される；
前記無線チャネル経由で送信された既知コードワードのための受信既知コードワードを得るための手段と、なお、各既知コードワードは既知データのブロックであり、そして、各受信既知コードワードは送信された既知コードワードのノイズの入ったバージョンである；
各受信既知コードワードのステータスを、良いコードワード、悪いコードワード、あるいは消去されたコードワードであると決定するための手段と、なお、良いコードワードは、消去されていないコードワードであると判断され且つ正確に復号された受信既知コードワードであり、そして悪いコードワードは、消去されていないコードワードであると判断されたが誤って復号された受信既知コードワードである；そして
各受信既知コードワードの前記ステータスに基づき前記消去閾値を動的に調整するための手段と；
を備える装置。
【請求項３３】
前記伝送に対する受信ＳＮＲを推定するための手段と；
前記受信ＳＮＲを前記目標ＳＮＲと比較するための手段と；そして
前記比較した結果に基づきコマンドを生成するための手段と、なおここでは、前記コマンドは前記伝送のための前記送信パワーを調整するために使用される；
を更に備える、請求項３２記載の装置。
【発明の詳細な説明】
【技術分野】
【０００１】
（米国特許法１１９条のもとでの優先権の主張）
本特許出願は、本譲受人に譲渡され、参照することによりここに明示的に組み込まれる、２００４年６月１８日に出願された「逆方向リンクパワー制御アルゴリズム(Reverse-Link Power Control Algorithm )」と題される米国特許仮出願第６０／５８０，８１９号の優先権を主張する。
【０００２】
（分野）
本発明は、一般にデータ通信に関し、より具体的には、無線通信システムにおける消去検出およびパワー制御を行なうための技術に関係する。
【背景技術】
【０００３】
（背景）
無線多元接続通信システムは、複数の無線端末に対する通信を同時にサポートすることができる。各端末は、順方向および逆方向のリンク上の伝送を介して１または複数の基地局と通信する。順方向リンク（あるいはダウンリンク）は基地局から端末への通信リンクを指し、そして、逆方向リンク（あるいはアップリンク）は端末から基地局への通信リンクを指す。
【０００４】
複数の端末は、それらの伝送を互いに直交であるように多重化することによって、逆方向リンク上で同時に送信できる。多重化は、時間、周波数、及び／又は、符号ドメインにおいて複数の逆方向リンク伝送の間で直交性を達成することを試みる。完全な直交性は、もし達成されたならば、受信基地局で、他の端末からの伝送に干渉しない各端末からの伝送をもたらす。然しながら、異なる端末からの伝送の間での完全な直交性は、チャネル条件、受信機の不完全さ、等のために、実現されないことが多い。直交性におけるロスは、各端末において、他の端末へのある量の干渉を起こす結果となる。各端末のパフォーマンス(performance)は、そのとき、他のすべての端末からの干渉によって下げられる。
【０００５】
逆方向リンク上で、全ての端末に対し良好なパフォーマンスを確かなものとするために各端末の送信パワーを制御するパワー制御メカニズムが使用されてもよい。このパワー制御メカニズムは、通常、２つのパワー制御ループでインプリメントされ、それらは、しばしば、「内側(inner)」ループおよび「外側(outer)」ループと呼ばれる。内側ループは、端末の送信パワーを、受信基地局で測定されるようなその受信信号品質（ＳＮＲ）が目標ＳＮＲ(target SNR)で維持されるように、調整する。外側ループは、目標ＳＮＲを、所望のブロックエラー率（ＢＬＥＲ）かパケットエラー率（ＰＥＲ）を維持するように調整する。
【０００６】
従来のパワー制御メカニズムは、端末からの逆方向リンク伝送に対し所望のブロック／パケットエラー率が達成されるように、各端末の送信パワーを調整する。周期的冗長チェック（ＣＲＣ）符号のようなエラー検出符号は、典型的に、各受信データブロック／パケットが正確に復号されているかあるいは誤って復号されているかどうかを判断するために使用される。目標ＳＮＲは、そのとき、エラー検出復号化の結果に基づき、調整される。然しながら、例えば、もしエラー検出符号用のオーバヘッドが過剰であると判断される場合は、エラー検出符号はいくつかの伝送に対しては使用されないかもしれない。エラー検出符号に依存する従来のパワー制御メカニズムは、これらの伝送に対しては、直接には使用されることができない。
【０００７】
それ故に、エラー検出符号化が使用されない時に伝送のための送信パワーを適切に調整する技術に対し技術的な必要性がある。
【発明の開示】
【０００８】
［要約］
エラー検出符号化を使用しない「物理的な」チャネル（例、コントロールチャネルあるいはデータチャネル）上で消去検出(erasure detection)および伝送用パワー制御を行なうための技術が、ここに説明される。データは、物理的チャネル上で「コードワード(codeword)」として送信され、ここでは、各コードワードは、符号化されたデータあるいは符号化されていないデータのブロックであり得る。
【０００９】
消去検出については、送信構成要素(transmitting entity)（例、無線端末）が、受信構成要素(receiving entity)（例、基地局）に、物理的チャネル上で、および無線チャネル経由で、コードワードを送信する。以下に説明されるように、基地局は各受信コードワードのメトリック(metric)を計算し、そして計算されたメトリックを消去閾値(an erasure threshold)と比較する。基地局は、比較結果に基づき、各受信コードワードを、「消去された」コードワード(”erased” codeword)あるいは「消去されていない」コードワード("non-erased" codeword)であると宣言する(declare)。基地局は、消去されていないコードワードであると宣言された時に受信コードワード(received codeword)が誤って復号される確率(probability)を示す目標条件付きエラー率(target conditional error)によって量が定められるパフォーマンスの目標レベル(target level)を達成するために、消去閾値を動的に調整する。消去閾値は、以下に示されるように、基地局との通信において端末によって送信される既知コードワードについての受信コードワードである受信既知コードワード(received known codeword)に基づいて、調整されることができる。調整可能な消去閾値は、様々なチャネル状態において、ロバスト消去検出パフォーマンス(robust erasure detection performance)を提供できる。
【００１０】
３つのループ（内側ループ、外側ループ、および第３のループ）を備えたパワー制御メカニズムは、物理的チャネルのための送信パワーを制御するために使用されることができる。内側ループは、受信ＳＮＲを目標ＳＮＲにあるいはその近くに維持するために、物理的チャネルのための送信パワーを調整する。外側ループは、受信コードワードを消去されたコードワードとして宣言する確率である目標消去率を達成するために、受信コードワードのステータス（消去された、または、消去されていない）に基づき目標ＳＮＲを調整する。第３のループは、目標条件付きエラー率を達成するために、受信既知コードワードのステータス（「よい」、「悪い」、または、消去された）に基づき消去閾値を調整する。目標消去率と目標条件付きエラー率は、物理的チャネルのための２つのパフォーマンス測定基準である。
【００１１】
本発明の様々な面(aspects)および実施形態が、更に詳細に以下に説明される。
【００１２】
［詳細な説明］
本発明の特徴および本質は、同様の参照文字が全体をとおして同様に識別する図面と併せて以下に記載された詳細な説明から、より明らかとなるであろう。
【００１３】
ここで使用されている用語「例示的な(exemplary)」は、「例(example)、実例(instance)あるいは説明図(illustration)として役立つ」ことを意味するためにここに使用される。「例示的な」としてここで説明されるどの実施形態あるいはデザインも、他の実施形態あるいはデザインよりも好ましいあるいは有利であるとして必ずしも解釈されるべきではない。
【００１４】
図１は、無線多元接続通信システム１００を示す。システム１００は、複数の無線端末１２０のための通信をサポートする複数の基地局１１０を含んでいる。基地局は、端末と通信するために使用される固定局であり、アクセスポイントあるいはノードＢと、あるいは他の何らかの用語で、呼ばれてもよい。端末１２０は典型的にはシステム全体にわたって分散しており、また、各端末は、固定されてもよいし、あるいは、モバイルでもよい。端末もまた、移動局、ユーザ機器（ＵＥ）、あるいは無線通信デバイスと、あるいは他の何らかの用語で、呼ばれてもよい。各端末は、いつなんどきでも、順方向および逆方向のリンク上で、１または複数の基地局と通信できる。これは、端末がアクティブであるかどうかに、ソフトハンドオフがサポートされているかどうかに、また、端末がソフトハンドオフにあるかどうかに依存する。簡単にするために、図１は、逆方向リンク上の伝送を示すだけである。システムコントローラ１３０は、基地局１１０に結合し、これらの基地局のための調整及び制御を提供し、そして更に、これらの基地局によってサービスを受ける端末のためのデータの経路指定を制御する。
【００１５】
ここに説明される消去検出およびパワー制御の技術は、様々な無線通信システムに使用されることができる。例えば、これらの技術は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどに使用されることができる。ＣＤＭＡシステムは、符号分割多重化を使用し、また、異なる端末のための伝送は、異なる直交（例、Walsh）符号を順方向リンクに使用することにより直交される。端末は、ＣＤＭＡにおいて逆方向リンクに対し異なる擬似乱数（ＰＮ）シーケンスを使用している、そして、完全には互いに直交ではない。ＴＤＭＡシステムは、時分割多重化を使用し、また、異なる端末のための伝送は、異なる時間間隔の中で送信することにより直交される。ＦＤＭＡシステムは、周波数分割分割多重化を使用し、また、異なる端末のための伝送は、異なる周波数サブバンドの中で送信することにより直交される。ＯＦＤＭＡシステムは直交周波数分割多重化（ＯＦＤＭ）を利用する、それは全システム帯域幅を複数の直交周波数サブバンドに有効的に分割する。これらのサブバンドはまた、トーン、副搬送波、ビン、そして周波数チャネルと一般に呼ばれる。ＯＦＤＭＡシステムは、様々な直交多重化方式を使用でき、そして、時分割多重化、周波数分割多重化、及び／又は、符号分割多重化のどんな組合せも使用できる。
【００１６】
ここに説明される技術は、エラー検出符号化を使用しない様々なタイプの「物理的」チャネルのために使用されることができる。物理的チャネルはまた、コードチャネルあるいはトランスポートチャネルと、あるいは他の何らかの用語で、呼ばれてもよい。物理的チャネルは、典型的には、トラフィック／パケット データを送るために使用される「データ」チャネルと、オーバヘッド／コントロール データ送るために使用される「コントロール」チャネルを、含む。システムは、異なるタイプの制御情報を送るために異なるコントロールチャネルを使うことができる。例えば、システムは、（１）無線チャネルの品質を示すチャネル品質インジケータ（ＣＱＩ）を送るＣＱＩチャネル、（２）ハイブリッド自動再送信（Ｈ−ＡＲＱ）方式のための確認応答（ＡＣＫ）を送るＡＣＫチャネル、（３）データ伝送のリクエストを送るＲＥＱチャネル、などを使用してもよい。物理的チャネルは、たとえエラー検出符号化が使用されないとしても、他のタイプの符号化を使用するかもしれないし、使用しないかもしれない。例えば、物理的チャネルはどんな符号化も使用しないかもしれないし、データは物理的チャネル上で「符号化のないクリアーな状態で(in the clear)」送られる。物理的チャネルはまたブロック符号化を使用できるので、データの各ブロックは、対応する符号化されたデータのブロックを得るために符号化され、それはそのあと、物理的チャネル上で送られる。ここに説明される技術は、これらの異なる物理的（データとコントロール）チャネルのどれにも、そしてすべてに、使用されることができる。
【００１７】
分かりやすくするために、逆方向リンクに使用される例示的なコントロールチャネルについての消去検出およびパワー制御技術が、以下に詳細に説明される。このコントロールチャネル上での異なる端末からの伝送は、周波数、時間、及び／又は、符号スペースの中で直交して多重化されることができる。完全な直交性で、干渉は、各端末によってコントロールチャネル上で観察されない。然しながら、周波数選択性フェージング（あるいはシステム帯域幅全体にわたっての周波数応答における変動）およびドップラー（移動に起因）が存在する中では、異なる端末からの伝送は、受信基地局で、互いに直交しないかもしれない。
【００１８】
データは、ブロックで、例示的なコントロールチャネル上で送られる、なお、各ブロックは予め決められた数の（Ｌ）データビットを含んでいる。各データブロックは、対応するコードワードあるいは符号化データブロックを得るために、符号化される。各データブロックがＬビットを含んでいるので、２Ｌ通りの(2L possible)異なるデータブロックがあり、それらは、各異なるデータブロックに対し１つのコードワードで、コードブック(codebook)の中の２Ｌ通りのコードワードに写像される(mapped)。端末は、データブロック用のコードワードを、コントロールチャネルで送信する。
【００１９】
基地局は、異なる端末によってコントロールチャネル上で送信されたコードワードを、受け取る。基地局は、受信コードワードに対し送信された可能性が最も高いと判断されるデータブロックである復号データブロックを得るために、各受信コードワード上で補完的ブロック復号化(complementary block decoding)を行なう。ブロック復号化は様々な方法で行なれることができる。例えば、基地局は、受信コードワードとコードブック中の２Ｌ通りの有効コードワードとの間のユークリッド距離(Euclidean distance)を計算できる。一般に、受信コードワードと与えられた有効コードワード(a given valid codeword)との間のユークリッド距離は、受信コードワードが有効コードワードにより近ければ近いほど、より短く、そして、受信コードワードが有効コードワードからより遠くに離れていればいるほど、より長い。受信コードワードに最短のユークリッド距離を持った有効コードワードに対応するデータブロックが、復号されたデータブロックとして受信コードワードに供給される。
【００２０】
１例として、データブロック用のＬデータビットが、特定の変調方式（例、ＢＰＳＫ、ＱＰＳＫ、Ｍ−ＰＳＫ、Ｍ−ＱＡＭなど）のＫ変調シンボルを含んでいるコードワードに写像されることができる。各有効コードワードは、Ｋ変調シンボルの異なるセットに関連付けられており、そして、２Ｌ通りの有効コードワードの変調シンボルの２Ｌセットは、出来る限り互いから遠く離れている（ユークリッド距離において）ようにして選択されることができる。受信コードワードはそのとき、Ｋ受信シンボルを含むであろう、なお、各受信シンボルは、送信された変調シンボルのノイズの入ったバージョン(noisy version)である。受信コードワードと与えられた有効コードワードとの間のユークリッド距離は、次のように計算されることができる：
【数１】
2008503924.tif 000003
【００２１】
式（１）は、受信コードワードのＫ受信シンボルと有効コードワードのＫ変調シンボルとの間の平均二乗誤差としてユークリッド距離を計算する。最小di(k)を持った有効コードワードに対応するデータブロックは、復号されたデータブロックとして受信コードワードに供給される。
【００２２】
エラー検出符号がなければ、与えられた受信コードワードのブロック復号化が正確かどうかあるいはエラーであるのかどうかを決定する、そして復号されたデータブロックが確かに送信されたデータブロックであると決定する、直接の方法はない。メトリックは、定義され、そして、復号化結果に対する確信の指示を提供するために使用されることができる。一実施例においては、メトリックは次のように定義されることができる： 
【数２】
2008503924.tif 000004
【００２３】
但し、dn1(k)は、受信コードワードkと最短有効コードワードとの間のユークリッド距離であり、  
dn2(k)は、受信コードワードkと次に最短な有効コードワードとの間のユークリッド距離であり、そして  
m(k)は、受信コードワードkのメトリックである。
【００２４】
もし受信コードワードが、次に最短なコードワードよりも最短コードワードに、はるかにより近い場合、そのときは、メトリックm(k)は小さな値であり、そして、復号されたデータブロックが正確であるという信頼度が高い。反対に、もし受信コードワードが最短コードワードおよび次に最短なコードワードに対してほぼ等しい距離を持っている場合、そのときは、メトリックm(k)は１に近づく、あるいはm(k)→１、であり、そして、復号されたデータブロックが正確であるという信頼は少ない。
【００２５】
式（２）は、ユークリッド距離の比率に基づく例示的なメトリックを示しており、そしてそれは、与えられた受信コードワードのブロック復号化が正確であるかどうかを、あるいはエラーであるのかどうかを決定するために使用されることができる。他のメトリックもまた消去検出に使用されることができ、そしてこれは本発明の範囲内である。一般に、メトリックは、任意の適切な信頼度関数f(r,C)に基づいて定義されることができる、但し、r は受信コードワードであり、そしてC は可能なすべてのコードワードのコードブック(codebook)あるいはコレクション(collection)である。関数f(r,C)は、受信コードワードの品質／信頼性を示す必要があり、また、適切な特性（例、検出信頼性を備えて単調）を持つ必要がある。
【００２６】
消去検出は、各受信コードワードの復号化結果が予め決められた信頼度を満たすかどうかを決定するために行なわれることができる。受信コードワードのメトリックm(k)は、受信コードワードの復号化決定を得るために、消去閾値(erasure threshold)、ＴＨ消去、に対し、次のように比較されることができる:
m(k)＜ＴＨ消去、消去されていないコードワードを宣言、  
m(k)≧ＴＨ消去、消去されたコードワードを宣言、                        式（３）
式（３）の中で示されるように、受信コードワードは、（１）もしメトリックm(k)が消去閾値と等しいかあるいはそれよりも大きい場合は、「消去された」コードワード、そして(２)もしメトリックm(k)が消去閾値よりも小さい場合は、「消去されていない」コードワード、として宣言される。基地局は、消去されていないコードワードの場合と消去されたコードワードの場合では、復号されたデータブロックを異なって取り扱うことができる。例えば、基地局は、消去されていないコードワードの場合の復号されたデータブロックをその後の処理のために使用でき、そして、消去されたコードワードの場合の復号されたデータブロックを廃棄できる。
【００２７】
受信コードワードを消去されたコードワードとして宣言する確率(probability)は、消去率(erasure rate)と呼ばれ、そして、Pr消去として表示される。消去率は、消去検出のために使用される消去閾値および受信コードワードの受信信号品質（ＳＮＲ）に依存している。信号品質は、信号対雑音比、信号対雑音及び干渉比、などによって定量化されることができる。与えられた受信ＳＮＲの場合、低い消去閾値は、受信コードワードが消去されたコードワードと宣言される可能性を増加させ、逆の場合もまた同様である。与えられた消去閾値の場合、低い受信ＳＮＲもまた、受信コードワードが消去されたコードワードと宣言される可能性を増加させ、逆の場合もまた同様である。与えられた消去閾値の場合、受信ＳＮＲは、所望の消去率を達成するように（以下に説明されるように、コントロールチャネルのための送信パワーを調整することによって）設定されることができる。
【００２８】
消去閾値は、コントロールチャネルのための所望のパフォーマンスを達成するように設定されることができる。例えば、条件付きエラー率(conditional error rate)と呼ばれる、消去されていないコードワードに関して条件付けられたエラーの確率(probability)は、コントロールチャネルのために使用されることができる。この条件付きエラー率は、Prエラーとして表示され、次のことを意味する：受信コードワードが消去されていないコードワードであると宣言されるとすれば、受信コードワードの復号されたデータブロックが不正確であるという確率は、Prエラーである。低いPrエラー（例、１％あるいは０．１％）は、
消去されていないコードワードが宣言される時、復号化結果における高い信頼度に対応する。信頼できる復号化が重要である場合は、低いPrエラーが、多くのタイプの伝送に対して望ましいかもしれない。消去閾値は、所望のPrエラーを達成するように適切なレベルに設定されることができる。
【００２９】
消去率Pr消去と、条件付きエラー率Prエラーと、消去閾値ＴＨ消去と、受信ＳＮＲとの間には、明確に定義された関係が存在すると予想されるかもしれない。特に、与えられた消去閾値および与えられた受信ＳＮＲについては、特定の消去率および特定の条件付きエラー率が存在する。消去閾値を変更することによって、消去率と条件付きエラー率との間でトレードオフが行なわれ得る。異なる消去閾値と異なる受信ＳＮＲに対する消去率と条件付きエラー率との関係を決定する、あるいは予測するために、コンピューターシミュレーションが行なわれることができ、及び／又は、経験的な測定が行なわれることができる。
【００３０】
然しながら、実際的なシステムにおいては、これらの４つのパラメータの関係は予め知られていないかもしれないし、また、展開シナリオに依存するかもしれない。例えば、所望の消去率および条件付きエラー率を達成することができる特定の消去閾値は、演繹的に知られていないかもしれないし、時間とともに、しかし多分ゆっくりと変わることさえあるかもしれない。更に、シミュレーションによって、あるいは、他のある手段によって得られた、消去率と条件付きエラー率との間の「予測された」関係が、実際の展開において当てはまるかどうかは知られていない。
【００３１】
パワー制御メカニズムは、コントロールチャネルのための所望のパフォーマンス(performance)を達成するために、消去閾値および受信ＳＮＲを動的に調整するように使用されることができる。コントロールチャンネルパフォーマンスは、目標消去率Pr消去（例、１０％消去率、あるいはPr消去 ＝０．１）および目標条件付きエラー率Prエラー（例、１％条件付エラー率、あるいはPrエラー ＝０．０１）、すなわち、(Pr消去, Prエラー)ペアによって、定量化されることができる。
【００３２】
図２は、動的に消去閾値を調整し、そして、端末から基地局にコントロールチャネル上で送られる伝送のための送信パワーを制御するために使用されることができる、パワー制御メカニズムを示す。パワー制御メカニズム２００は、内側ループ２１０、外側ループ２２０、および第３のループ２３０を含んでいる。
【００３３】
内側ループ２１０は、伝送の受信ＳＮＲを、基地局で測定されるように、目標ＳＮＲに可能な限り近づけて、維持するように試みる。内側ループ２１０の場合、ＳＮＲ推定器２４２は、基地局で、伝送の受信ＳＮＲを推定し、そして、受信ＳＮＲを送信パワー制御（ＴＰＣ）生成器(generator)２４４に供給する。ＴＰＣ生成器２４４はまた、コントロールチャネルのための目標ＳＮＲを受け取り、受信ＳＮＲを目標ＳＮＲと比較し、そして比較結果に基づきＴＰＣコマンドを生成する。各ＴＰＣコマンドは、（１）コントロールチャネルのための送信パワーの増加を指示するＵＰコマンドか、あるいは（２）送信パワーの減少を指示するＤＯＷＮコマンドである。基地局は、端末に、順方向リンク（雲２６０）上でＴＰＣコマンドを送信する。
【００３４】
端末は、基地局から順方向リンク伝送を受け取りそして処理し、そして「受信」ＴＰＣコマンドをＴＰＣプロセッサ２６２に供給する。各受信ＴＰＣコマンドは、基地局によって送られたＴＰＣコマンドのノイズの入ったバージョンである。ＴＰＣプロセッサ２６２は、各受信ＴＰＣコマンドを検知し、そしてＴＰＣ決定を得る、それは、（１）もし受信ＴＰＣコマンドがＵＰコマンドであると判断される場合はＵＰ決定、あるいは、（２）もし受信ＴＰＣコマンドがＤＯＷＮコマンドであると判断される場合はＤＯＷＮ決定、であり得る。
【００３５】
送信（ＴＸ）パワー調整ユニット２６４は、ＴＰＣプロセッサ２６２からのＴＰＣ決定に基づき、コントロールチャネル上での伝送のための送信パワーを調整する。ユニット２６４は、以下のように送信パワーを調整できる：
【数３】
2008503924.tif 000005
【００３６】
但し、Ｐcch(n)は、内側ループアップデート間隔(inner loop update interval)ｎのための送信パワーであり、  
ΔＰupは、送信パワーのためのｕｐステップサイズであり、そして  
ΔＰdnは、送信パワーのためのｄｏｗｎステップサイズである。
【００３７】
送信パワーＰcch(n)とステップサイズΔＰupおよびΔＰdnは、デシベル（ｄＢ）の単位である。式（４）の中で示されるように、送信パワーは、各ＵＰ決定に対してΔＰup増加し、そして各ＤＯＷＮ決定に対してΔＰdn減少する。簡単にするために上記に説明されなかったが、ＴＰＣ決定は、もし受信ＴＰＣコマンドが信頼できないと判断される場合には、「操作不能(no-OP)」決定であるかもしれない、その場合、送信パワーは同じレベルに維持されることができる、あるいはＰcch(n＋１)＝Ｐcch(n)である。ΔＰupおよびΔＰdnのステップサイズは典型的に等しく、両方とも、１．０ｄＢ、０．５ｄＢ、あるいは他のある値にセットされるかもしれない。
【００３８】
典型的に、時間にわたってそして特にモバイル端末の場合に変化する、逆方向リンク（雲２４０）上の経路損失、フェージング、およびマルチパス効果により、コントロールチャネル上の伝送のための受信ＳＮＲは絶えず変動する。逆方向リンクチャネル状態において変化がある中で、内側ループ２１０は、受信ＳＮＲを、目標ＳＮＲに、あるいはその近くに維持するように試みる。
【００３９】
外側ループ２２０は、目標消去率がコントロールチャネルに対し達成されるように、絶えず目標ＳＮＲを調整する。メトリック計算ユニット２５２は、上記に説明されるように、コントロールチャネルから得られた各受信コードワードに対しメトリックm(k)を計算する。消去検出器２５４は、コードワードに対し計算されたメトリックm(k)および消去閾値に基づき各受信コードワードの消去検出を行ない、そして、受信コードワードのステータス（消去されたか、あるいは消去されていないか）を目標ＳＮＲ調整ユニット２５６に供給する。
【００４０】
目標ＳＮＲ調整ユニット２５６は、各受信コードワードのステータスを取得し、そして、コントロールチャネルのための目標ＳＮＲを、下記のとおり調整する：
【数４】
2008503924.tif 000006
【００４１】
但し、ＳＮＲ目標(k)は、外側ループアップデート間隔(outer loop update interval)ｋのための目標ＳＮＲであり、
ΔＳＮＲupは、目標ＳＮＲのためのｕｐステップサイズであり、そして  
ΔＳＮＲdnは、目標ＳＮＲのためのｄｏｗｎステップサイズである。
【００４２】
目標ＳＮＲＳＮＲ目標(k)とステップサイズΔＳＮＲupおよびΔＳＮＲdnは、デシベル（ｄＢ）の単位である。式（５）の中で示されるように、ユニット２５６は、もし受信コードワードが消去されていないコードワードであると判断される場合には、目標ＳＮＲをΔＳＮＲdn減らす、それは、コントロールチャネルのための受信ＳＮＲが必要以上に高いことを示すかもしれない。逆に、もし受信コードワードが消去されたコードワードであると判断される場合は、ユニット２５６は目標ＳＮＲをΔＳＮＲup増やす、それは、コントロールチャネルのための受信ＳＮＲが必要よりも低いことを示すかもしれない。
【００４３】
目標ＳＮＲを調整するためのΔＳＮＲupおよびΔＳＮＲdnのステップサイズは、次の関係に基づき設定されることができる：
【数５】
2008503924.tif 000007
【００４４】
例えば、もしコントロールチャネルのための目標消去率が１０％（あるいはPr消去＝０．１）である場合、そのとき、ｕｐステップサイズは、ｄｏｗｎステップサイズの９倍である（すなわちΔＳＮＲup＝９・ΔＳＮＲdn）。もしｕｐステップサイズが０．５デシベル（ｄＢ）であるように選択されている場合、そのときｄｏｗｎステップサイズはおよそ０．０５６ｄＢである。ΔＳＮＲupおよびΔＳＮＲdnに対してより大きな値は、外側ループ２２０の収束レートを上げる(speed up the convergence rate)。ΔＳＮＲupに対してのより大きな値もまた、定常状態で目標ＳＮＲのより多い変動あるいは変化を引き起こす。
【００４５】
３番目のループ２３０は、コントロールチャネルに対し目標条件付きエラー率が達成されるように、消去閾値を動的に調整する。端末は、コントロールチャネル上で既知コードワード(known codeword)を周期的に、あるいはトリガされるときはいつでも、送信できる。基地局は送信された既知コードワードを受け取る。メトリック計算ユニット２５２および消去検出器２５４は、消去閾値に基づき、そして、受信コードワードに対してと同じ方法で、各受信既知コードワードに対し消去検出を行なう。消去されていないと判断される各受信既知コードワードについては、復号器２６２は受信既知コードワードを復号し、そして、復号されたデータブロックが正確であるのか、あるいは誤っているのかを判断する、これは、コードワードが既知であるので行なわれることができる。復号器２６２は、消去閾値調整ユニット２６４に各受信既知コードワードのステータスを提供する、それは、（１）消去されたコードワード、（２）もし受信既知コードワードが消去されていないコードワードで且つ正確に復号されている場合は「良い」コードワード、あるいは、（３）もし受信既知コードワードが消去されていないコードワードであるがしかし誤って復号されている場合は「悪い」コードワード、であり得る。
【００４６】
消去閾値調整ユニット２６４は、受信既知コードワードのステータスを得て、そして消去閾値を次のように調整する：
【数６】
2008503924.tif 000008
【００４７】
但し、ＴＨ消去(l)は、第３のループアップデート間隔(third loop update interval)lのための消去閾値であり、
ΔＴＨupは、消去閾値のためのｕｐステップサイズであり、そして  
ΔＴＨdnは、消去閾値のためのｄｏｗｎステップサイズである。
【００４８】
式（７）の中で示されるように、消去閾値は、悪いコードワードである各受信既知コードワードの場合は、ΔＴＨdn減少する。より低い消去閾値は、より厳しい消去検出基準に対応し、そして、受信コードワードが消去されたと判断される可能性が高いという結果になり、それはまた、受信コードワードが、消去されていないと判断されるときに、正確に復号される可能性が高いという結果になる。逆に、消去閾値は、良いコードワードである各受信既知コードワードの場合は、ΔＴＨup増加する。より高い消去閾値は、それほど厳しくはない消去検出基準に対応し、そして、受信コードワードが消去されたと判断される可能性が低いという結果になり、それはまた、受信コードワードが、消去されていないと判断されるときに、誤って復号される可能性が高いという結果になる。消去閾値は、消去された受信既知コードワードの場合は、同じレベルに維持される。
【００４９】
消去閾値を調整するためのΔＴＨupおよびΔＴＨdnのステップサイズは、次の式に基づき設定されることができる：
【数７】
2008503924.tif 000009
【００５０】
例えば、もしコントロールチャネルのための目標条件付きエラー率が１％である場合、そのときは、ｄｏｗｎステップサイズはｕｐステップサイズの９９倍である。ΔＴＨupおよびΔＴＨdnの大きさは、受信シンボルの予想される大きさ、第３のループの所望の収束レート、そして多分他の要因、に基づき決定されることができる。
【００５１】
一般に、消去閾値の調整は、消去検出のために使用されるメトリックがどのように定義されるかに依存する。式（７）および（８）は、式（２）の中で示されるように定義されるメトリックに基づいている。メトリックはまた、他の方法（例、m(k)＝dn1(k)／dn2(k)の代わりにm(k)＝dn2(k)／dn1(k)）によって定義されることもできる、この場合には、消去閾値の調整はそれに応じて修正されることができる。調整可能な消去閾値は、様々なチャネル状態に対してロバスト消去検出パフォーマンスを達成するために、任意の消去検出技術と組み合わせて使用されることもできる。
【００５２】
消去閾値、ＴＨ消去(l)、は様々な方法で動的に調整されることができる。一実施形態においては、別の第３のループは、基地局と通信している各端末の基地局によって維持される。この実施形態は、消去閾値が各端末用に個々に調整されることを可能にし、それはそのとき、コントロールチャンネルパフォーマンスが端末のために特に調整されることを可能にする。例えば、異なる端末は異なる目標条件付きエラー率を有することができ、それは、これらの端末のための別々の第３のループを動作させることにより達成されることができる。別の実施形態においては、基地局と通信している全ての端末に対して、単一の第３のループが基地局によって維持される。共通の消去閾値が、そのとき、これらの端末の全てに対しての消去検出のために使用され、そしてまた、これらの端末から基地局によって受け取られた既知コードワードに基づき更新される。この実施形態は、もしコントロールチャンネルパフォーマンスが様々なチャネル状態の場合にこれらの端末に対しロバスト(robust)あれば、全ての端末に対して良いパフォーマンスを提供する。この実施形態は、第３のループに対しより速い収束レート(faster rate of convergence)を可能とし、そしてまた、各端末が既知コードワードをより低いレート（例、数百ミリセカンド毎に1度）で送信できるので、オーバヘッドを減らす。更に別の実施形態では、単一の第３のループが、同じコントロールチャンネルパフォーマンスを有する端末の各グループのための基地局によって維持され、そして、消去閾値は、基地局によってグループ中の全端末から受け取られた既知コードワードに基づき更新される。
【００５３】
内側ループ２１０、外側ループ２２０、そして第３のループ２３０は、典型的に、異なるレートで更新される。内側ループ２１０は、３つのループの最も速いループであり、そして、コントロールチャネルのための送信パワーは特定のレート（例、毎秒１５０回）で更新されることができる。外側ループ２２０は、次に最も速いループであり、そして、目標ＳＮＲは、コードワードがコントロールチャネル上で受け取られる時はいつでも、更新されることができる。第３のループ２３０は、最も遅いループであり、そして、消去閾値は、既知コードワードがコントロールチャネル上で受け取られる時はいつでも、更新されることができる。３つのループのアップデートレート(update rate)は、消去検出およびパワー制御のための所望のパフォーマンスを達成するために選択されることができる。
【００５４】
上記に説明された実施形態の場合、目標条件付きエラー率Prエラーは、コントロールチャネルのパフォーマンスの測定基準のうちの１つとして使用され、そして、第３のループは、このPrエラーを達成するように設計されている。パフォーマンスの他の測定基準もまた、コントロールチャネルのために使用されてよく、そして、第３のループはそれに従って設計されることができる。例えば、受信コードワードが、消去されていると判断される時に、誤って復号されているという目標確率(target probability)は、第３のループに使用されてもよい。
【００５５】
図３Ａおよび３Ｂは、パワー制御メカニズム３００の第２と第３のループを更新するプロセス３００のフローチャートを示す。受信コードワードｋが、コントロールチャネル（ブロック３１２）から最初に得られる。メトリックm(k)が、受信コードワードのために、例えば、上記に説明されたように、計算され（ブロック３１４）、そして、消去閾値に対して比較される（ブロック３１６）。ブロック３２０において決定されるように、もし計算されたメトリックm(k)が消去閾値よりも大きいあるいは等しい場合、そして、ブロック３２２において決定されるように、もし受信コードワードが既知コードワードでない場合、そのときは、受信コードワードは消去されたコードワードとして宣言される（ブロック３２４）。もし計算されたメトリックm(k)が消去閾値よりも大きいあるいは等しい場合は、受信コードワードが知られているか知られていないかにかかわらず、目標ＳＮＲは、ΔＳＮＲupステップサイズ増やされる（ブロック３２６）。ブロック３２６の後、プロセスは、次の受信コードワードを処理するためにブロックに３１２に戻る。
【００５６】
ブロック３２０において決定されるように、もし計算されたメトリックm(k)が消去閾値よりも小さい場合、そして、ブロック３３２において決定されるように、もし受信コードワードが既知コードワードでない場合、そのときは、受信コードワードは消去されていないコードワードとして宣言される（ブロック３３４）、そして、目標ＳＮＲは、ΔＳＮＲdn減らされる（ブロック３３６）。プロセスは、次の受信コードワードを処理するためにブロックに３１２に戻る。
【００５７】
ブロック３２０において決定されるように、もし計算されたメトリックm(k)が消去閾値よりも小さい場合、そして、ブロック３３２において決定されるように、もし受信コードワードが既知コードワードである場合、そのときは（図３Ｂを参照して）、受信コードワードは復号される（ブロック３４０）。ブロック３４２において決定されるように、もし復号化が正確であった場合、そのときは、受信既知コードワードは良いコードワードとして宣言され（ブロック３４４）、そして、消去閾値はΔＴＨupステップサイズ増加される（ブロック３４６）。そうでなくて、ブロック３４２において決定されるように、復号化エラーがあった場合、そのときは、受信既知コードワードは悪いコードワードとして宣言され（ブロック３５４）、そして、消去閾値はΔＴＨdnステップサイズ減少される（ブロック３５６）。ブロック３４６および３５６から、プロセスは、次の受信コードワードを処理するために図３Ａの中のブロック３１２に戻る。
【００５８】
上述したように、ここに説明された技術は、エラー検出符号化を使用しない様々なタイプの物理的チャネルのために使用されてもよい。例示的なデータ伝送方式のためのこれらの技術の使用は、以下に説明される。例示的なデータ伝送方式の場合、順方向リンク伝送を望む端末は、そのサービスを行う基地局に対し順方向リンクの受信信号品質(received signal quality)を推定する（例、基地局によって送信されたパイロットに基づき）。受信信号品質推定値(received signal quality estimate)はＬ−ビット値に変換されることができ、それはチャネル品質インジケータ(channel quality indicator)（ＣＱＩ）と呼ばれる。ＣＱＩは、順方向リンクのための受信ＳＮＲ、順方向リンクのためのサポートされたデータレート、などを示すことができる。いずれの場合も、ブロック符号化は、ＣＱＩコードワードを得るためにＣＱＩ上で行なわれる。具体例として、Ｌは４に等しく、そして、ＣＱＩコードワードは１６のＱＰＳＫ変調シンボルを含んでいる、あるいは［si(１) si(２)・・・ si(１６)］であるかもしれない。端末は、ＣＱＩコードワードをＣＱＩチャネル（それはコントロールチャネルのうちの１つである）上でサービスを行う基地局に送信する。サービスを行う基地局は、ＣＱＩチャネル上で送られたＣＱＩコードワードを受け取り、そして、受信ＣＱＩコードワードについて消去検出を行なう。もし受信ＣＱＩコードワードが消去されていない場合、そのときは、サービスを行う基地局は受信ＣＱＩコードワードを復号し、そして、端末のためのデータ伝送をスケジュールするために復号されたＣＱＩを使用する。
【００５９】
図４は、例示的なデータ伝送方式用に使用される1セットのデータおよびコントロールのチャネルを示す。端末は、順方向リンクの受信信号品質を測定し、そして、ＣＱＩチャネル上でＣＱＩコードワードを送信する。端末は、連続的に順方向リンク品質の測定を行ない、そして、更新されたＣＱＩコードワードをＣＱＩチャネル上で送る。従って、消去されていると判断された受信ＣＱＩコードワードを廃棄することは、システムパフォーマンスに弊害をもたらさない。然しながら、消去されていないと判断された受信ＣＱＩコードワードは、これらの消去されていないＣＱＩコードワード中に含まれている情報に基づき順方向リンク伝送がスケジュールされることができるので、高い品質のはずである。
【００６０】
もし端末が順方向リンク伝送に対しスケジュールされる場合、そのときは、サービスを行う基地局は、符号化パケット(coded packet)を得るためにデータパケットを処理し、そして、符号化パケットを順方向リンクデータチャネル上で端末に送信する。ハイブリッド自動再送信(hybrid automatic retransmission)（Ｈ−ＡＲＱ）方式の場合、各符号化パケットは複数のサブブロックに区分され、そして、１つのサブブロックは符号化パケットのために同時に送信される。所定の符号化パケットのための各サブブロックが順方向リンクデータチャネル上で受け取られるとき、端末は、パケットのためにここまで受け取られた全てのサブブロックに基づきパケットを復号しそして回復することを試みる。受信信号品質が貧弱な時に復号するために有用であるが、受信信号品質が良い時には必要とされない冗長な情報(redundant information)をサブブロックが含んでいるので、端末は、部分的な伝送に基づきパケットを回復することが可能である。端末は、そのあと、もしパケットが正確に復号されている場合は、端末は、確認応答（ＡＣＫ）をＡＣＫチャネル上で送信し、あるいは、そうでなければ否定応答（ＮＡＫ）を送信する。順方向リンク伝送は、符号化パケットの全てが端末に送信されるまで、このような方法で続く。
【００６１】
ここに説明された技術は、ＣＱＩチャネル用に有利に使用されることができる。消去検出は、上記に説明されるように、各受信ＣＱＩコードワードについて行なわれることができる。ＣＱＩチャネルのための送信パワーは、ＣＱＩチャネルに対し所望のパフォーマンスを達成するように（例、所望の消去率および所望の条件付きエラー率）、パワー制御メカニズム３００を使用して調整されることができる。他のコントロールチャネル（例、ＡＣＫチャネル）および逆方向リンクデータチャネルのための送信パワーもまた、ＣＱＩチャネルのためのパワー制御された送信パワーに基づきセットされることができる。
【００６２】
分かり易くするために、消去検出およびパワー制御の技術が、逆方向リンクについて特に説明されている。これらの技術はまた、順方向リンク上で送られる伝送の場合の消去検出およびパワー制御のために使用されることができる。
【００６３】
図５は、基地局１１０ｘおよび端末１２Ｏｘの実施形態のブロック図を示す。逆方向リンク上、端末１２Ｏｘで、送信（ＴＸ）データプロセッサ５１０が逆方向リンク（ＲＬ）トラフィックデータを受け取り、処理し（例、フォーマットし、符号化し、インタリーブし、そして、変調する）、そして、トラフィックデータのための変調シンボルを供給する。ＴＸデータプロセッサ５１０はまた、コントローラ５２０からの制御データ（例、ＣＱＩ）を処理し、そして、制御データのための変調シンボルを供給する。変調器（ＭＯＤ）５１２は、トラフィックおよび制御データの変調シンボルとパイロットシンボルを処理し、そして、コンプレックスバリュウドチップのシーケンス(a sequence of complex-valued chips)を提供する。ＴＸデータプロセッサ５１０および変調器５１２による処理はシステムに依存する。例えば、変調器５１２は、もしシステムがＯＦＤＭを利用する場合は、ＯＦＤＭ変調を行なうことができる。送信機ユニット（ＴＭＴＲ）５１４は、チップのシーケンスを調整し（例、アナログに変換する、増幅する、フィルタにかける、そして、周波数アップコンバートをおこなう）、そして、逆方向リンク信号を生成する、それは送受切換器（Ｄ）５１６を通して送られ、そしてアンテナ５１８を経由し送信される。
【００６４】
基地局１１０ｘで、端末１２Ｏｘからの逆方向リンク信号は、アンテナ５５２によって受け取られ、送受切換器５５４を通して送られ、そして、受信機ユニット（ＲＣＶＲ）５５６に供給される。受信機ユニット５５６は、受信信号を調整し（例、フィルタにかける、増幅する、そして周波数ダウンコンバートをおこなう）、そして更に、データサンプル(data samples)のストリームを得るために、調整された信号をデジタル化する。復調器（ＤＥＭＯＤ）５５８は、シンボル推定値(symbol estimates)を得るためにデータサンプルを処理する。受信（ＲＸ）データプロセッサ５６０は、そのあと、端末１２Ｏｘのための復号されたデータを得るために、シンボル推定値を処理する（例、デインタリーブし復号する）。ＲＸデータプロセッサ５６０はまた、消去検出を行ない、そして、パワー制御のために使用される各受信コードワードのステータスをコントローラ５７０に提供する。復調器５５８およびＲＸデータプロセッサ５６０による処理は、変調器５１２およびＴＸデータプロセッサ５１０によって行なわれた処理に対して相補的(complementary)である。
【００６５】
順方向リンク伝送のための処理は、逆方向リンクのための上記に説明されたものと同じように行なわれることができる。逆方向リンク伝送および順方向リンク伝送のための処理は、一般的に、システムによって指定される。
【００６６】
逆方向リンクパワー制御については、ＳＮＲ推定器５７４が、端末１２Ｏｘのための受信ＳＮＲを推定し、そして、受信ＳＮＲをＴＰＣ生成器５７６に供給する。ＴＰＣ生成器５７６はまた、目標ＳＮＲを受け取り、そして、端末１２ＯｘのためのＴＰＣコマンドを生成する。ＴＰＣコマンドは、ＴＸデータプロセッサ５８２によって処理され、更に変調器５８４によって処理され、送信機ユニット５８６によって調整され、送受切換器５５４を通して送られ、そして、アンテナ５５２経由で端末１２Ｏｘに送信される。
【００６７】
端末１２Ｏｘで、基地局１１０ｘからの順方向リンク信号は、アンテナ５１８によって受信され、送受切換器５１６を通して送られ、受信機ユニット５４０によって調整されてそしてデジタル化され、復調器５４２によって処理され、そして更に、受信ＴＰＣコマンドを得るためにＲＸデータプロセッサ５４４によって処理される。ＴＰＣプロセッサ５２４がそのあと、送信パワー調整コントロールを生成するために使用されるＴＰＣ決定を得るために、受信ＴＰＣコマンドを検知する。変調器５１２は、ＴＰＣプロセッサ５２４からコントロールを受け取り、そして、逆方向リンク伝送のための送信パワーを調整する。順方向リンクパワー制御は同様の方法で達成されることができる。
【００６８】
コントローラ５２０および５７０は、端末１２Ｏｘおよび基地局１１０ｘ内で、様々な処理ユニットのオペレーションをそれぞれ指示する。コントローラ５２０および５７０はまた、順方向リンクおよび逆方向リンクに対する消去検出およびパワー制御のための様々な機能を行なうことができる。例えば、各コントローラは、そのリンクのための、ＳＮＲ推定器、ＴＰＣ生成器、そして目標ＳＮＲ調整ユニットをインプリメントできる。コントローラ５７０およびＲＸデータプロセッサ５６０はまた、図３Ａおよび３Ｂにおけるプロセス３００を実行できる。メモリユニット５２２および５７２は、それぞれ、コントローラ５２０および５７０のために、データとプログラムのコードを保存できる。
【００６９】
ここに説明された消去検出およびパワー制御の技術は、様々な手段によってインプリメントされることができる。例えば、これらの技術は、ハードウェア、ソフトウェアあるいはそれの組合せの中でインプリメントされることができる。ハードウェアのインプリメンテーションの場合は、消去検出、及び／又は、パワー制御を行なうために使用される処理ユニットは、１以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、ここで説明された機能を行なうように設計された他の電子ユニット、あるいはそれらの組合せ、の中でインプリメントされることができる。
【００７０】
ソフトウェアのインプリメンテーションの場合は、ここに説明された技術は、ここに説明された機能を行なうモジュール（例、処理手続き、機能、など）でインプリメントされることができる。ソフトウェアコードは、メモリユニット（例、図５の中のメモリユニット５７２）の中に保存され、そして、プロセッサ（例、コントローラ５７０）によって実行されることができる。メモリユニットは、プロセッサ内に、あるいは、プロセッサの外部にインプリメントされることができる、その場合には、技術的に知られているように様々な手段によってプロセッサに通信上結合されることができる。
【００７１】
開示された実施形態の以上の説明は、どんな当業者にも本発明を作る、あるいは使用することを可能にするために提供されている。これらの実施形態への様々な変更は、当業者には容易に明らかであろう、そして、ここで定義された包括的な原理は、本発明の精神あるいは範囲を逸脱することなく他の実施形態に適用することができる。従って、本発明は、ここに示された実施形態に限定するように意図されておらず、ここに開示された原理及び新規な特徴と整合する最も広い範囲が与えられるべきものである。
【図面の簡単な説明】
【００７２】
【図１】図１は、無線多元接続通信システムを示す。
【図２】図２は、３つのループを備えたパワー制御メカニズムを示す。
【図３Ａ】図３Ａは、図２の中で示されるパワー制御メカニズムのための第２および第３のループを更新するプロセスを示す。
【図３Ｂ】図３Ｂは、図２の中で示されるパワー制御メカニズムのための第２および第３のループを更新するプロセスを示す。
【図４】図４は、データ伝送方式のためのデータチャネルとコントロールチャネルを示す。
【図５】図５は、基地局と端末のブロック図を示す。
【図１】
2008503924.tif 000010
【図２】
2008503924.tif 000011
【図３Ａ】
2008503924.tif 000012
【図３Ｂ】
2008503924.tif 000013
【図４】
2008503924.tif 000014
【図５】
2008503924.tif 000015
【国際調査報告】
2008503924.tif 000016
2008503924.tif 000017
2008503924.tif 000018